(57)【要約】【課題】携帯端末を占有することなくユーザ設定が可能であって、かつ当該携帯端末において自由にユーザ設定を変更することや、なりすまし等によってユーザ設定をされることを防ぐことができる携帯端末設定システム、制御端末、携帯端末、携帯端末設定方法、制御端末プログラムおよび携帯端末設定プログラムを提供する。【解決手段】保護者用携帯端末１００は、子供用携帯端末１１０に対するユーザ設定の内容を示すユーザ設定情報を、メール本文データに変換して保護者用携帯端末１００の電話番号を用いて暗号化し、子供用携帯端末１１０に送信する。子供用携帯端末１１０は、受信したメール本文を保護者用携帯端末１００の電話番号を用いて復号化してユーザ設定情報に変換し、ユーザ設定を子供用携帯端末１１０に適用する。ユーザ設定情報にもとづいて行われた設定を、子供用携帯端末１１０において変更することはできない。【選択図】図１
2008097485.tif 000002
【特許請求の範囲】
【請求項１】
携帯端末と、前記携帯端末をリモート設定する制御端末とを備え、
前記制御端末は、
前記携帯端末の設定項目の設定内容を示す設定情報を、当該制御端末を識別可能な制御端末識別情報を用いて暗号化する暗号化手段と、
前記暗号化手段が暗号化した設定情報を通信ネットワークを介して前記携帯端末に送信する送信手段とを含み、
前記携帯端末は、
あらかじめ記憶する制御端末識別情報にもとづいて、前記制御端末から受信した設定情報を復号化する復号化手段と、
前記復号化手段が復号化した設定情報にもとづいて当該携帯端末の設定を行う設定手段とを含み、
前記設定手段は、あらかじめ定められた除外条件に合致する設定項目の設定を禁止する制御を行う
ことを特徴とする携帯端末設定システム。
【請求項２】
送信手段は、暗号化された設定情報を含む電子メールを送信し、
復号化手段は、受信した電子メールに含まれる設定情報を復号化する
請求項１記載の携帯端末設定システム。
【請求項３】
設定手段は、あらかじめ定められた条件を満たす場合に、除外条件を解除する請求項１または請求項２記載の携帯端末設定システム。
【請求項４】
設定手段は、設定情報にもとづいて設定項目を設定したことに応じて、設定項目の設定を禁止することを示す設定禁止情報をセットするとともに、除外条件として前記設定禁止情報がセットされていることにもとづいて、設定項目の設定を禁止する制御を行う
請求項１から請求項３のうちのいずれか１項に記載された携帯端末設定システム。
【請求項５】
携帯端末の設定項目をリモート設定する制御端末であって、
前記携帯端末の設定項目の設定内容を示す設定情報を、当該制御端末を識別可能な制御端末識別情報を用いて暗号化する暗号化手段と、
前記暗号化手段が暗号化した設定情報を通信ネットワークを介して前記携帯端末に送信する送信手段と
を備えることを特徴とする制御端末。
【請求項６】
制御端末によって設定項目をリモート設定される携帯端末であって、
前記携帯端末は、
あらかじめ記憶する前記制御端末を識別可能な制御端末識別情報にもとづいて、前記制御端末から受信した設定情報を復号化する復号化手段と、
前記復号化手段が復号化した設定情報にもとづいて当該携帯端末の設定を行う設定手段とを備え、
前記設定手段は、あらかじめ定められた除外条件に合致する設定項目の設定を禁止する制御を行う
ことを特徴とする携帯端末。
【請求項７】
制御端末が携帯端末をリモート設定する携帯端末設定方法であって、
前記制御端末が、前記携帯端末の設定項目の設定内容を示す設定情報を、当該制御端末を識別可能な制御端末識別情報を用いて暗号化する暗号化ステップと、
前記制御端末が、前記暗号化ステップで暗号化した設定情報を通信ネットワークを介して前記携帯端末に送信する送信ステップと、
前記携帯端末が、あらかじめ記憶する制御端末識別情報にもとづいて、前記制御端末から受信した設定情報を復号化する復号化ステップと、
前記携帯端末が、前記復号化ステップで復号化した設定情報にもとづいて当該携帯端末の設定を行う設定ステップとを含み、
前記携帯端末が、前記設定ステップで、あらかじめ定められた除外条件に合致する設定項目の設定を禁止する制御を行う
ことを特徴とする携帯端末設定方法。
【請求項８】
携帯端末の設定項目をリモート設定する制御端末に搭載される制御端末プログラムであって、
コンピュータに、
前記携帯端末の設定項目の設定内容を示す設定情報を、当該制御端末を識別可能な制御端末識別情報を用いて暗号化する暗号化処理と、
前記暗号化処理で暗号化した設定情報を通信ネットワークを介して前記携帯端末に送信する送信処理と
を実行させるための制御端末プログラム。
【請求項９】
制御端末によって設定項目をリモート設定される携帯端末に搭載される携帯端末設定プログラムであって、
コンピュータに、
あらかじめ記憶する前記制御端末を識別可能な制御端末識別情報にもとづいて、前記制御端末から受信した設定情報を復号化する復号化処理と、
前記復号化処理で復号化した設定情報にもとづいて当該携帯端末の設定を行う設定処理とを実行させ、
前記設定処理で、あらかじめ定められた除外条件に合致する設定項目の設定を禁止する処理を実行させる
ための携帯端末設定プログラム。
【発明の詳細な説明】
【技術分野】
【０００１】
本発明は、携帯端末のユーザ設定項目や電話帳などの管理項目の設定を行う携帯端末設定システム、制御端末、携帯端末、携帯端末設定方法、制御端末プログラムおよび携帯端末設定プログラムに関する。
【背景技術】
【０００２】
近年、子供用の携帯端末が発売されている。子供用の携帯端末では、一般に、利用できる機能を制限するような工夫がされている。例えば、パスワードを２つ設定可能とし、子供用のパスワードと保護者用のパスワードとに区別する。そして、セキュリティ機能に関わる部分等は、保護者用のパスワードでのみロック解除可能とし、子供用パスワードではロック解除できなくする機能が搭載されている。
【０００３】
なお、携帯電話における電話帳情報の共有方式が提案されている（例えば、特許文献１参照）。特許文献１には、電話帳情報の新規登録、変更を受け付けた携帯電話機が、当該情報を含む電子メールを作成して送信し、メールを受信した携帯電話機が、当該情報に従った設定を行うことが記載されている。
【０００４】
また、受信したメールに従って各種設定機能を動作させることにより、リモート操作を可能にして、操作性を向上できる携帯端末が提案されている（例えば、特許文献２参照）。特許文献２には、携帯端末が、自動操作を要求する自動ＡＰ起動要求メールを受信すると、対応するＡＰを起動し、ロック設定やアラーム設定などについての指定された情報を設定することが記載されている。
【０００５】
【特許文献１】特開２００４−１１２１１９号公報（段落００２９−００４０）
【特許文献２】特開２００２−３３８２２号公報（段落００２９−００３３，００４１−００４５）
【発明の開示】
【発明が解決しようとする課題】
【０００６】
パスワードを２つ設定可能とする場合、子供に保護者用のパスワードを知られてしまうと、子供が自由に設定変更を行う可能性があるという問題がある。例えば、子供が、自分の携帯端末の利用制限等のユーザ設定を勝手に変更できてしまう。また、保護者は、子供の携帯端末のユーザ設定を行う間、子供の携帯端末を占有しなければならないという問題がある。
【０００７】
また、特許文献１，２に記載された方式を用いれば、遠隔地から携帯端末の設定を変更したり新たに設定するリモート設定を行うことはできる。しかし、いわゆるなりすまし等によって保護者以外の者に子供用端末の設定をされたり、設定内容の盗聴や改ざんをされたりする可能性がある。
【０００８】
そこで、本発明は、携帯端末を占有することなくユーザ設定が可能であって、かつ当該携帯端末において自由にユーザ設定を変更することや、なりすまし等によってユーザ設定をされることを防ぐことができる携帯端末設定システム、制御端末、携帯端末、携帯端末設定方法、制御端末プログラムおよび携帯端末設定プログラムを提供することを目的とする。
【課題を解決するための手段】
【０００９】
本発明による携帯端末設定システムは、携帯端末（例えば、子供用携帯端末１１０）と、携帯端末をリモート設定する制御端末（例えば、保護者用携帯端末１００）とを備え、制御端末は、携帯端末の設定項目の設定内容を示す設定情報を、当該制御端末を識別可能な制御端末識別情報を用いて暗号化する暗号化手段と、暗号化手段が暗号化した設定情報を通信ネットワークを介して携帯端末に送信する送信手段とを含み、携帯端末は、あらかじめ記憶する制御端末識別情報にもとづいて、制御端末から受信した設定情報を復号化する復号化手段と、復号化手段が復号化した設定情報にもとづいて当該携帯端末の設定を行う設定手段とを含み、設定手段は、あらかじめ定められた除外条件に合致する設定項目の設定を禁止する制御を行うことを特徴とする。
【００１０】
送信手段は、暗号化された設定情報を含む電子メールを送信し、復号化手段は、受信した電子メールに含まれる設定情報を復号化してもよい。そのような構成によれば、電子メール機能を用いて携帯端末の設定を行うことができる。
【００１１】
設定手段は、あらかじめ定められた条件を満たす場合に、除外条件を解除してもよい。そのような構成によれば、制御端末を使用できない場合にも除外条件に合致する管理項目の設定を行うことができる。
【００１２】
設定手段は、設定情報にもとづいて設定項目を設定したことに応じて、設定項目の設定を禁止することを示す設定禁止情報をセットするとともに、除外条件として設定禁止情報がセットされていることにもとづいて、設定項目の設定を禁止する制御を行ってもよい。そのような構成によれば、携帯端末において、設定情報にもとづいて設定された管理項目の設定を行うことを防ぐことができる。
【００１３】
本発明による制御端末は、携帯端末の設定項目をリモート設定する制御端末であって、携帯端末の設定項目の設定内容を示す設定情報を、当該制御端末を識別可能な制御端末識別情報を用いて暗号化する暗号化手段と、暗号化手段が暗号化した設定情報を通信ネットワークを介して携帯端末に送信する送信手段とを備えることを特徴とする。
【００１４】
本発明による携帯端末は、制御端末によって設定項目をリモート設定される携帯端末であって、携帯端末は、あらかじめ記憶する制御端末を識別可能な制御端末識別情報にもとづいて、制御端末から受信した設定情報を復号化する復号化手段と、復号化手段が復号化した設定情報にもとづいて当該携帯端末の設定を行う設定手段とを備え、設定手段は、あらかじめ定められた除外条件に合致する設定項目の設定を禁止する制御を行うことを特徴とする。
【００１５】
本発明による携帯端末設定方法は、制御端末が携帯端末をリモート設定する携帯端末設定方法であって、制御端末が、携帯端末の設定項目の設定内容を示す設定情報を、当該制御端末を識別可能な制御端末識別情報を用いて暗号化する暗号化ステップと、制御端末が、暗号化ステップで暗号化した設定情報を通信ネットワークを介して携帯端末に送信する送信ステップと、携帯端末が、あらかじめ記憶する制御端末識別情報にもとづいて、制御端末から受信した設定情報を復号化する復号化ステップと、携帯端末が、復号化ステップで復号化した設定情報にもとづいて当該携帯端末の設定を行う設定ステップとを含み、携帯端末が、設定ステップで、あらかじめ定められた除外条件に合致する設定項目の設定を禁止する制御を行うことを特徴とする。
【００１６】
本発明による制御端末プログラムは、携帯端末の設定項目をリモート設定する制御端末に搭載される制御端末プログラムであって、コンピュータに、携帯端末の設定項目の設定内容を示す設定情報を、当該制御端末を識別可能な制御端末識別情報を用いて暗号化する暗号化処理と、暗号化処理で暗号化した設定情報を通信ネットワークを介して携帯端末に送信する送信処理とを実行させることを特徴とする。
【００１７】
本発明による携帯端末設定プログラムは、制御端末によって設定項目をリモート設定される携帯端末に搭載される携帯端末設定プログラムであって、コンピュータに、あらかじめ記憶する制御端末を識別可能な制御端末識別情報にもとづいて、制御端末から受信した設定情報を復号化する復号化処理と、復号化処理で復号化した設定情報にもとづいて当該携帯端末の設定を行う設定処理とを実行させ、設定処理で、あらかじめ定められた除外条件に合致する設定項目の設定を禁止する処理を実行させることを特徴とする。
【発明の効果】
【００１８】
本発明によれば、携帯端末を占有することなく携帯端末の管理項目の設定を行うことができるという効果がある。また、制御端末によって送信される設定情報にもとづいて設定された管理項目を設定対象から除外して設定することができるという効果がある。
【発明を実施するための最良の形態】
【００１９】
実施の形態１．
以下、本発明の第１の実施の形態を図面を参照して説明する。図１は、本発明による携帯端末設定システムの処理の概要を示す説明図である。図１に示す携帯端末設定システムは、保護者用携帯端末１００と、子供用携帯端末１１０とを備える。
【００２０】
保護者用携帯端末１００は、子供用携帯端末１１０に対するユーザ設定を行う。ユーザ設定とは、例えば、携帯端末の電話帳データとして登録されていない電話番号への発信を制限したり、電話帳以外の機能からの発信を制限したりするための電話帳以外発信制限、所定のＷｅｂサイトへのインターネット接続を制限するインターネット接続制限、メールの送受信の制限、電話帳の編集の制限等の、ユーザが設定可能な管理項目を設定することを示す。また、保護者用携帯端末１００が子供用携帯端末１１０のユーザ設定を行うとは、例えば、保護者用携帯端末１００において、子供用携帯端末１１０の管理項目の設定内容（ユーザ設定内容）を入力することである。保護者用携帯端末１００は、ユーザ設定内容を示すユーザ設定情報をメールデータに変換し、インターネット等の通信ネットワークを介して子供用携帯端末１１０に送信する。
【００２１】
子供用携帯端末１１０は、保護者用携帯端末１００から受信したメールを解析し、解析結果にもとづいてユーザ設定を行う。
【００２２】
ここで、図１を参照して、携帯端末設定システムの処理の概要について説明する。まず、保護者等によって、子供用携帯端末１１０に保護者用携帯端末１００の電話番号が登録される（ステップＳ１００）。
【００２３】
操作者である保護者は、保護者用携帯端末１００において、子供用携帯端末１１０に対する電話帳以外発信制限やインターネット接続制限等のユーザ設定を行う。設定が完了すると、保護者用携帯端末１００は、子供用携帯端末１１０のためのユーザ設定情報をメモリに保存する（ステップＳ１０１）。
【００２４】
保護者用携帯端末１００は、ユーザ設定情報をメール本文データに変換する。そして、メール本文データを保護者用携帯端末１００の電話番号を暗号キーにして暗号化し、メール本文に設定する。また、メールの題名として、ユーザ設定用メールであることを示す特定の値（文字列）を設定し、保護者が設定した子供用携帯端末１１０のメールアドレスを宛先に設定して、インターネット等の通信ネットワークを介して送信する（ステップＳ１０２）。
【００２５】
子供用携帯端末１１０は、メールを受信すると、メールがユーザ設定用であるか否かを確認するため、題名をユーザ設定用メールであることを示す特定の値（文字列）と比較する。メールの題名が特定の値（文字列）である場合、子供用携帯端末１１０は、メール本文を保護者用携帯端末１００の電話番号を復号キーにして復号化して解析し、ユーザ設定情報に変換する（ステップＳ１１１）。
【００２６】
子供用携帯端末１１０は、ユーザ設定情報にもとづいて、保護者用携帯端末１００が行ったユーザ設定（電話帳以外発信制限やインターネット接続制限等）を子供用携帯端末１１０に適用する（ステップＳ１１２）。なお、後述するように、保護者用携帯端末１００が送信したユーザ設定用メールにもとづいて行われた設定を子供用携帯端末１１０で設定変更することはできないとする。
【００２７】
次に、構成について説明する。保護者用携帯端末１００および子供用携帯端末１１０は、具体的には、プログラムにしたがって動作する携帯電話機等の端末によって実現される。図２は、保護者用携帯端末１００および子供用携帯端末１１０の例を示すブロック図である。本実施の形態では、保護者用携帯端末１００と子供用携帯端末１１０とは同様の構成を備える。保護者用携帯端末１００および子供用携帯端末１１０は、図２に示すように、アンテナ２０１と、無線部２０２と、制御部２０３と、ＬＣＤ表示部２０６と、操作部２０７と、音声処理部２０８と、レシーバ２０９と、マイクロフォン２１０とを備える。
【００２８】
保護者用携帯端末１００および子供用携帯端末１１０は、制御部２０３の制御により、無線部２０２およびアンテナ２０１を介して、基地局（図示せず。）と通信を行う。保護者用携帯端末１００と子供用携帯端末１１０とは、基地局および通信ネットワークを介して通信可能である。無線部２０２は、アンテナ２０１が受信した信号を、受信したい信号周波数を選択し周波数変換を行い、増幅、復調して、受信データとして制御部２０３に出力する。
【００２９】
制御部２０３は、ＣＰＵ２０４と、メモリ２０５と、データ暗号処理部２１１と、その他の制御回路（図示せず。）を含む。制御部２０３は、受信データを処理して音声信号を音声処理部２０８に出力する。
【００３０】
音声処理部２０８は、音声信号をアナログ信号に変え、レシーバー２０９は音声を出力する。また、音声処理部２０８は、マイクロフォン２１０から入力された音声をデジタル信号に変換する。
【００３１】
制御部２０３は、音声処理部２０８が変換したデジタル信号を送信データに処理する。無線部２０２は、送信データを変調し、規定の周波数の搬送波として増幅し、アンテナ２０１を介して送信する。
【００３２】
また、制御部２０３は、操作部２０７を監視し、ユーザの操作を検出、判断し、操作に基づいて処理を行う。
【００３３】
ＬＣＤ表示部２０６は、制御部２０３の制御により、各種の表示を行う。
【００３４】
メモリ２０５は、制御部２０３が携帯端末を制御するためのプログラム、電話帳およびメール等のデータを記憶する。例えば、メモリ２０５は、自端末のユーザ設定機能を実現するためのプログラムを記憶する。また、保護者用携帯端末１００のメモリ２０５は、子供用携帯端末１１０のユーザ設定を行う機能（以下、子供用ユーザ設定機能と表記する。）を実現するためのプログラムを記憶する。
【００３５】
データ暗号処理部２１１は、指定された暗号キー（本例では、保護者用携帯端末１００の電話番号）を用いてデータを暗号化し、暗号化されたデータを特定キーを用いて復号化する。
【００３６】
本実施の形態において、送信手段は、保護者用携帯端末１００のアンテナ２０１、無線部２０２および制御部２０３によって実現される。設定手段は、子供用携帯端末１１０のアンテナ２０１、無線部２０２および制御部２０３によって実現される。
【００３７】
次に、図面を参照して本実施の形態の動作について説明する。図３は、子供用携帯端末のユーザ設定を行う処理の例を示すフローチャートである。
【００３８】
ステップＳ３００は、子供用携帯端末１１０が行う制御についての説明である。例えば、保護者等が、あらかじめ子供用携帯端末１１０に保護者用携帯端末１００の電話番号を登録する操作を行うと、子供用携帯端末１１０の制御部２０３は、メモリ２０５に保護者用携帯端末１００の電話番号を登録する（ステップＳ３００）。なお、なりすまし等の悪意のあるメール対策のため、保護者用携帯端末１００の電話番号（保護者用電話番号）を子供用携帯端末１１０において参照することはできない。例えば、子供用携帯端末１１０において、登録された保護者用電話番号は、「＊」等で表示されてもよい。
【００３９】
ステップＳ３０１〜Ｓ３０５は、保護者用携帯端末１００が行う制御についての説明である。
【００４０】
操作者である保護者が、保護者用携帯端末１００において、子供用携帯端末１１０のユーザ設定を行う機能（子供用ユーザ設定機能）を起動するための操作を行うと、制御部２０３は、子供用ユーザ設定機能を起動する。そして、制御部２０３は、ＬＣＤ表示部２０６に、ユーザ設定用の画面を表示させる（ステップＳ３０１）。
【００４１】
ここで、子供用ユーザ設定機能は、ＪＡＶＡ（登録商標）等によるプログラムとして実現されてもよい。この場合、例えば、子供用ユーザ設定機能は、インターネット等のネットワークを介してダウンロードされ、保護者用携帯端末１００に登録されて実行される。よって、保護者用携帯端末１００として、購入時等にあらかじめ子供用ユーザ設定機能がメモリ２０５に保存されている携帯端末に限らず、例えば、ＪＡＶＡ（登録商標）等によるプログラムを実行する機能を有する携帯端末やパーソナルコンピュータを利用することができる。
【００４２】
保護者は、保護者用携帯端末１００を操作し、子供用携帯端末１１０のユーザ設定として、例えば、電話帳以外発信制限やインターネット接続制限等のユーザ設定を行う（ステップＳ３０２）。
【００４３】
ステップＳ３０２の処理が完了すると、制御部２０３は、ステップＳ３０２において設定された子供用携帯端末１１０のユーザ設定を、メール本文に設定できるようにメール本文データに変換する。そして、データ暗号処理部２１１は、メール本文データを保護者用携帯端末１００の電話番号を暗号キーにして暗号化し、メール本文に設定する（ステップＳ３０３）。例えば、メール本文データに対し、電話番号を用いた演算を行うことによって、メール本文データを暗号化することにより、メール本文データの盗聴や改ざんを防止する。また、例えば、ユーザＩＤ等の保護者を識別可能な情報を、電話番号を用いた演算を行うことによって暗号化してもよい。また、ユーザ設定用のメールであることを示すため、メールの題名（Subject）として特定の値（文字列（例えば、「ユーザ設定」の文字列））を設定する。また、メールの宛先として、保護者が設定した送信先である子供用携帯端末１１０を設定する（ステップＳ３０４）。
【００４４】
制御部２０３は、ユーザ設定用メールを、無線部２０２およびアンテナ２０１を介して基地局に送信する。制御部２０３は、送信したユーザ設定用メールをメモリ２０５に保存する（ステップＳ３０５）。
【００４５】
ステップＳ３０６〜Ｓ３１０は、子供用携帯端末１１０が行う制御についての説明である。
【００４６】
子供用携帯端末１１０の制御部２０３は、アンテナ２０１及び無線部２０２を介して受信したメールを、メモリ２０５に格納する（ステップＳ３０６）。
【００４７】
制御部２０３は、受信したメールの題名を、ユーザ設定用メールに設定される特定の値（文字列）と比較して、ユーザ設定用メールであるか否かを判断する（ステップＳ３０７）。ユーザ設定用メールでない場合、制御部２０３は、通常のメール受信制御を実行する（ステップＳ３１１）。ユーザ設定用メールである場合、ステップＳ３０８以降の制御を実行する。
【００４８】
ステップＳ３０８において、データ暗号処理部２１１は、ユーザ設定用メールのメール本文を、保護者用携帯端末１００の電話番号を復号キーにして復号化して解析する。そして、制御部２０３は、保護者用携帯端末１００によって設定されたユーザ設定情報を取得する（ステップＳ３０８）。例えば、制御部２０３は、データ暗号処理部２１１によって解析されたメール本文からユーザ設定情報を抽出する。
【００４９】
制御部２０３は、ユーザ設定情報にもとづいて、子供用携帯端末１１０において電話帳以外発信制限やインターネット接続制限等のユーザ設定を行う（ステップＳ３０９）。制御部２０３は、ユーザ設定の変更が完了すると、ＬＣＤ表示部２０６に完了を通知するポップアップを表示させる（ステップＳ３１０）。
【００５０】
ここで、保護者用携帯端末１００が送信したユーザ設定用メールにもとづいて行われた設定を、子供用携帯端末１１０において変更することはできない。例えば、電話帳以外発信制限やインターネット接続制限等の管理項目ごとに、設定変更可否フラグを設ける。子供用携帯端末１１０の制御部２０３は、例えば、ステップＳ３０９においてユーザ設定を行う際に、ユーザ設定情報にもとづいて設定される管理項目に対応する設定変更可否フラグを「変更不可」とする。子供用携帯端末１１０の制御部２０３は、例えば、設定変更可否フラグが「変更不可」でない管理項目についてのみ、自端末のユーザ設定機能を実行することができる。なお、子供用携帯端末１１０において、保護者用携帯端末１００によって送信されたユーザ設定用メールにもとづいてユーザ設定が行われたことは、除外条件の一例である。
【００５１】
保護者が保護者用携帯端末１００を紛失した場合等には、例えば、ユーザ設定用メールにもとづいてなされた子供用携帯端末１１０のユーザ設定を変更することができなくなってしまう。そのため、子供用携帯端末１１０には、自端末のユーザ設定をリセットする機能が設けられる。ここで、子供が勝手にリセット機能を使うことができないようにするため、リセット機能を使用するためのパスワードを設定する。例えば、正しいパスワードを入力した場合にのみリセット機能を使用することができる。パスワードは、例えば、通常よりも長く、入力するのが煩わしいと感じる１６桁以上等の極端に長い文字列とする。パスワードが入力されてユーザ設定がリセットされた場合、例えば、すべての設定項目に対応する設定変更可否フラグが「変更可能」に変更されてもよい。
【００５２】
以上に説明したように、第１の実施の形態によれば、子供用携帯端末に対してユーザ設定を行う場合、保護者用携帯端末が送信したユーザ設定用メールにもとづいて行われた設定は、保護者用携帯端末が送信するユーザ設定用メールにもとづいてのみ変更可能であり、子供が自由に変更することはできない。したがって、子供に保護者用のパスワードを知られてしまった場合にも、ユーザ設定を自由に変更されることを防ぐことができる。
【００５３】
また、子供用携帯端末に対してユーザ設定を行う場合に、保護者用携帯端末において子供用携帯端末のユーザ設定を行い、子供用携帯端末がユーザ設定情報を含むメールを受信して、自動的にユーザ設定を行う。したがって、保護者が子供用携帯端末を占有することなく、ユーザ設定変更を行うことができる。
【００５４】
また、保護者用携帯端末が、ユーザ設定情報を保護者用携帯端末の電話番号を用いて暗号化して送信し、子供用携帯端末が、受信したユーザ設定情報を保護者用携帯端末の電話番号を用いて復号化してユーザ設定を行うことから、なりすまし等によってユーザ設定をされることを防止することができる。
【００５５】
実施の形態２．
次に、保護者用携帯端末に登録されている電話帳データを子供用携帯端末に登録する場合について説明する。図４は、子供用携帯端末の電話帳登録を行う処理の例を示すフローチャートである。
【００５６】
ステップＳ４００は、子供用携帯端末１１０が行う制御についての説明である。例えば、保護者等が、子供用携帯端末１１０に保護者用携帯端末１００の電話番号を登録する操作を行うと、子供用携帯端末１１０の制御部２０３は、メモリ２０５に保護者用携帯端末１００の電話番号を登録する（ステップＳ４００）。なお、なりすまし等の悪意のあるメール対策のため、保護者用携帯端末１００の電話番号（保護者用電話番号）を子供用携帯端末１１０において参照することはできない。
【００５７】
ステップＳ４０１〜Ｓ４０５は、保護者用携帯端末１００が行う制御についての説明である。
【００５８】
操作者である保護者が、保護者用携帯端末１００において、電話帳データの一覧（以下、電話帳一覧と表記する。）を表示するための操作を行うと、制御部２０３は、電話帳一覧をＬＣＤ表示部２０６に表示させる（ステップＳ４０１）。
【００５９】
保護者は、保護者用携帯端末１００を操作し、電話帳一覧から子供用携帯端末１１０に登録する電話帳データをすべて選択する（ステップＳ４０２）。
【００６０】
ステップＳ４０２の処理が完了すると、制御部２０３は、子供用携帯端末１１０に登録する電話帳データを、メール本文に設定できるようにメール本文データに変換する。そして、データ暗号処理部２１１は、メール本文データを保護者用携帯端末１００の電話番号を暗号キーにして暗号化し、メール本文に設定する（ステップＳ４０３）。また、電話帳登録用のメールであることを示すため、メールの題名（Subject）として特定の値（文字列）を設定し、宛先として、保護者が設定した送信先である子供用携帯端末１１０を設定する（ステップＳ４０４）。
【００６１】
制御部２０３は、電話帳登録用メールを、無線部２０２およびアンテナ２０１を介して基地局に送信する。制御部２０３は、送信した電話帳登録用メールをメモリ２０５に保存する（ステップＳ４０５）。
【００６２】
ステップＳ４０６〜Ｓ４１０は、子供用携帯端末１１０が行う制御についての説明である。
【００６３】
子供用携帯端末１１０の制御部２０３は、アンテナ２０１及び無線部２０２を介して受信したメールを、メモリ２０５に格納する（ステップＳ４０６）。
【００６４】
制御部２０３は、受信したメールの題名を、電話帳登録用メールに設定される特定の値（文字列）と比較して、電話帳登録用メールであるか否かを判断する（ステップＳ４０７）。電話帳登録用メールでない場合、制御部２０３は、通常のメール受信制御を実施する（ステップＳ４１１）。電話帳登録用メールである場合、ステップＳ４０８以降の制御を実施する。
【００６５】
ステップＳ４０８において、データ暗号処理部２１１は、電話帳登録用メールのメール本文を、保護者用携帯端末１００の電話番号を復号キーにして復号化して解析する。そして、制御部２０３は、保護者用携帯端末１００によって選択された電話帳データ（以下、電話帳情報と表記する。）を取得する（ステップＳ４０８）。例えば、制御部２０３は、データ暗号処理部２１１によって解析されたメール本文から電話帳情報を抽出する。
【００６６】
制御部２０３は、電話帳情報にもとづいて、子供用携帯端末１１０において電話帳を登録する（ステップＳ４０９）。電話帳の登録は、子供用携帯端末１１０にあらかじめ登録されている電話帳データを削除した後に行う。例えば、制御部２０３が、ステップＳ４０９において、あらかじめ登録されている電話帳データを削除して電話帳を登録してもよい。また、例えば、保護者があらかじめ子供用携帯端末１１０を操作して、登録されている電話帳データを削除しておいてもよい。制御部２０３は、電話帳登録が完了すると、ＬＣＤ表示部２０６に完了を通知するポップアップを表示させる（ステップＳ４１０）。
【００６７】
ここで、保護者用携帯端末１００が送信した電話帳登録用メールにもとづいて子供用携帯端末１１０の電話帳登録を行った場合、子供用携帯端末１１０において電話帳の編集を行うことはできない。例えば、電話帳変更可否フラグを設け、子供用携帯端末１１０の制御部２０３は、ステップＳ４０９において電話帳登録を行う際に、電話帳変更可否フラグを「変更不可」とする。子供用携帯端末１１０の制御部２０３は、例えば、電話帳変更可否フラグが「変更不可」でない場合のみ、自端末の電話帳の編集を行うことができる。なお、子供用携帯端末１１０において、保護者用携帯端末１００によって送信された電話帳登録用メールにもとづいてユーザ設定が行われたことは、除外条件の一例である。
【００６８】
以上に説明したように、第２の実施の形態によれば、子供用携帯端末に対して電話帳登録を行う場合、保護者用携帯端末が送信した電話帳登録用メールにもとづいて行われた設定は、保護者用携帯端末が送信する電話帳登録用メールにもとづいてのみ変更可能であり、子供が自由に変更することはできない。したがって、子供に保護者用のパスワードを知られてしまった場合にも、電話帳登録を自由に変更されることを防ぐことができる。
【００６９】
また、子供用携帯端末に対して電話帳登録を行う場合に、保護者用携帯端末において子供用携帯端末の電話帳登録を行い、子供用携帯端末が電話帳情報を含むメールを受信して、自動的に電話帳登録を行う。したがって、保護者が子供用携帯端末を占有することなく、電話帳登録を行うことができる。
【００７０】
また、保護者用携帯端末が、電話帳情報を保護者用携帯端末の電話番号を用いて暗号化して送信し、子供用携帯端末が、受信した電話帳情報を保護者用携帯端末の電話番号を用いて復号化してユーザ設定を行うことから、なりすまし等によって電話帳登録をされることを防止することができる。
【産業上の利用可能性】
【００７１】
本発明は、携帯端末の設定を行う用途に適用でき、特に、携帯端末の利用者による設定変更を防ぐ場合に効果的に適用できる。
【図面の簡単な説明】
【００７２】
【図１】本発明による携帯端末設定システムの処理の概要を示す説明図である。
【図２】保護者用携帯端末および子供用携帯端末の例を示すブロック図である。
【図３】子供用携帯端末のユーザ設定を行う処理の例を示すフローチャートである。
【図４】子供用携帯端末の電話帳登録を行う処理の例を示すフローチャートである。
【符号の説明】
【００７３】
１００  保護者用携帯端末
１１０  子供用携帯端末
【図１】
2008097485.tif 000003
【図２】
2008097485.tif 000004
【図３】
2008097485.tif 000005
【図４】
2008097485.tif 000006